(57)【特許請求の範囲】
【請求項１】
基板部と、該基板部から延びる脚部とを備え、前記脚部をパネル等の被取付部材の取付穴に挿入することによって、該被取付部材に固定される保持具であって、
前記脚部は、前記基板部から延びる矩形の横断面を有する筒状体に形成されており、該脚部には、前記被取付部材の取付穴に挿入するとき内側に撓み且つ該取付穴を貫通すると外方に突出するように復帰する弾性を有する弾性の係止爪が形成されて、該係止爪は、被取付部材の取付穴の内壁面に当接する、先端の縦壁と、該縦壁から根元側に設けられて前記取付穴の縁部に係合するように外方に張り出した係合部とを備え、
前記係合部の一部には、前記脚部が前記取付穴に対して軸回りに一定角度回転したときに該取付穴の縁部から外れる形状の斜面部が、該脚部の軸方向に延びて形成されており、  前記脚部には、前記矩形横断面形状において、前記斜面部に隣接するコーナに、該脚部を前記取付穴の中で軸回りに一定角度回転させることのできる空間を形成する切欠きが形成されており、
前記係止爪の前記縦壁は、前記脚部が前記取付穴に対して軸回りに一定角度回転したとき、前記取付穴の内壁面に当接して該取付穴の内側に移動させられる構成であり、それにより、前記係合部を前記斜面部とともに前記取付穴の縁部から内側に撓めて該縁部の係合を外す、
ことを特徴とする保持具。
【請求項２】
請求項１に記載の保持具において、前記脚部の側面には、前記切欠き部に隣接して、該脚部が前記取付穴の中で軸回りに一定角度しか回転できないようにするストッパが形成されている、ことを特徴とする保持具。
【請求項３】
請求項１〜２のいずれか１項に記載の保持具において、前記基板部には、前記脚部と反対側の面にサンバイザーのロッドを保持するホルダーが一体成形されている、ことを特徴とする保持具。
【請求項４】
請求項１〜２のいずれか１項に記載の保持具において、前記基板部はボタン型ヘッドに形成されており、該ボタン型ヘッドの上面に前記脚部を回転させるためのつまみが形成されている、保持具。
【請求項５】
請求項１〜２のいずれか１項に記載の保持具において、前記基板部には、前記脚部と反対側の面に、パイプのホルダーが一体成形されており、該ホルダーには、収容したパイプを保持する弾性ウィングが形成されている、ことを特徴とする保持具。
【発明の詳細な説明】
【技術分野】
【０００１】
本発明は、サンバイザーのロッド等の取付部材を自動車のボデーパネル等の被取付部材に取付けるのに有用な、被取付部材に固定される保持具に関する。
【背景技術】
【０００２】
基板部と、基板部から延びる脚部とを備え、脚部をパネル等の被取付部材の取付穴に挿入することによって、被取付部材に固定される保持具は公知である。例えば、特許文献１（特開平８−２３２９２２号公報）には、前記保持具の１例が記載されている。この保持具は、被取付部材への固定が、脚部を被取付部材の取付穴に挿入するだけでできる便利さがある。しかし、この保持具は取外しにおいて工具を必要とし、工具を差し込むための穴が保持具に形成されて外観のデザインを損なうものであり、工具の使用時に、ボデーパネルの意匠面を損なうおそれもある。
【０００３】
【特許文献１】特開平８−２３２９２２号公報
【特許文献２】特開２０００−０５５０２１号公報
【特許文献３】特開２００６−１０５２３６号公報
【特許文献４】特開２００１−００１７５８号公報
【特許文献５】特開２００２−０２１８３１号公報
【発明の開示】
【発明が解決しようとする課題】
【０００４】
特許文献２〜５に記載の保持具は、特許文献１に記載の保持具と違って、取外し操作において、保持具を脚部の軸回りに回転させるだけでよく、取外しのための工具を必要としない利点がある。特許文献２の保持具は、脚部を４５度の大きな回転角度を必要としており、取外し作業の作業性がよくない。また、脚部の斜面部分が脚部の体積を少なくして、係止爪が破損し易くなり、保持力が下がるおそれがある。
【０００５】
特許文献３及び特許文献４に記載の保持具は、回転防止や取外しのために、ボデーパネル等の被取付部材の取付穴を、単純な形状ではなく、特殊な形状に形成せねばならない不利がある。更に、特許文献５に記載の保持具は、回転防止や取外しのために、ボデーパネル等の被取付部材の取付穴を、単純な形状ではなく、特殊な形状に形成せねばならない不利に加えて、被取付部材への取付け作業において、脚部の取付穴への押込みだけでなく、脚部の回転を必要としており、作業性がよくない。
【０００６】
従って、本発明の目的は、脚部の挿入で取付けられ、工具を使用せずに取外し作業ができ、更に、被取付部材の取付穴も特殊な形状でなく、単純な例えば矩形の取付穴でも固定できる保持具を提供するにある。
【課題を解決するための手段】
【０００７】
上記目的を達成するため、本発明によれば、基板部と基板部から延びる脚部とを備え、脚部をパネル等の被取付部材の取付穴に挿入することによって、被取付部材に固定される保持具であって、脚部は、基板部から延びる矩形の横断面を有する筒状体に形成されており、脚部には、被取付部材の取付穴に挿入するとき内側に撓み且つ取付穴を貫通すると外方に突出するように復帰する弾性を有する弾性の係止爪が形成されて、係止爪は、被取付部材の取付穴の内壁面に当接する、先端の縦壁と、縦壁から根元側に設けられて取付穴の縁部に係合するように外方に張り出した係合部とを備え、係合部の一部には、脚部が取付穴に対して軸回りに一定角度回転したときに取付穴の縁部から外れる形状の斜面部が、脚部の軸方向に延びて形成されており、脚部には、矩形横断面形状において、斜面部に隣接するコーナに、脚部を取付穴の中で軸回りに一定角度回転させることのできる空間を形成する切欠きが形成されている、ことを特徴とする保持具が提供される。
【０００８】
上記保持具によれば、脚部を被取付部材の取付穴に挿入するだけで被取付部材に保持具が固定され、取外しにおいても脚部を軸回りに一定角度回転するだけの操作で保持具を被取付部材から取外しでき、更に、被取付部材の取付穴は、例えば、脚部の矩形横断面よりひとまわり大き目の単純な角穴でよく、この取付穴に保持具脚部を挿入して取付け、その取付穴の中で脚部を軸回りに小さな角度回転するだけで取外しできる。
【０００９】
上記保持具において、脚部の側面には、切欠き部に隣接して、脚部が取付穴の中で軸回りに一定角度しか回転できないようにするストッパが形成されている。これによって、取外し位置が確実に確保され、作業者には、視覚による回転角度の確認を不要とし、見ることを必要としない、すなわちブラインド作業ができる。係止爪の縦壁は、脚部が取付穴に対して軸回りに一定角度回転したとき、取付穴の内壁面に当接して取付穴の内側に移動させられる構成であり、係合部を斜面部とともに取付穴の縁部から内側に撓めて縁部の係合を外す構成である。これによって、取外し作業が確実にできる。
【００１０】
基板部には、脚部と反対側の面にサンバイザーのロッドを保持するホルダーが一体成形されているのが好ましい。これは、サンバイザー保持具となる。これとは別に、基板部はボタン型ヘッドに形成され、ボタン型ヘッドの上面に脚部を回転させるためのつまみが形成されていてもよい。この場合には、被取付部材の上に取付部材を重ねて配置して、両部材の取付穴に脚部を挿入すれば脚部の弾性係止爪とヘッドとによって取付部材が被取付部材に取付けられる。更に、基板部には、脚部と反対側の面に、パイプのホルダーが一体成形され、ホルダーには収容したパイプを保持する弾性ウィングが形成されていてもよい。これによってパイプ用の保持具が得られる。
【発明を実施するための最良の形態】
【００１１】
以下、本発明の実施形態について、図面を参照しながら説明する。図１〜図１１には、本発明の第１実施形態に係るサンバイザー用の保持具１が示されている。保持具１は、硬質のプラスチックで一体成形されている。第１実施形態に係る保持具１は、基板部２と、基板部１から垂直に延びる脚部３と、脚部３と反対側の基板部２の面に形成されてサンバイザーのロッドを保持するホルダー５とを有する。
【００１２】
図１〜図７を参照して、保持具１の構成の詳細を説明する。基板部２は、パネル等の被取付部材の取付穴を貫通しない大きさ又は形状で且つ一定厚さの剛性の板状に形成されている。板状の基板部２は、被取付部材に広い面積を含むように接面して、保持具１を被取付部材に対して安定して着座させ、ホルダー５の姿勢を安定させるとともに保持具１の取付強度を高く維持する。ホルダー５は、図２の正面図において示されるように、一方が開放したほぼＣ字形に形成されて、そのＣ字形の内側部分にサンバイザーのロッドを受入れる。ホルダー５は、ロッドがＣ字形の内側部分に収容されるとロッドに嵌合して保持する小突起６が入口部分に形成されている。また、ホルダー５は、ロッドを取外しできるように、先端部７がＣ字形の入口部分を少し広げる可撓性を有する。かかるホルダー５の構成は、よく知られており、これ以上の説明を省略する。
【００１３】
脚部３は、基板部２から垂直に延びた矩形断面の角筒として形成されている。脚部３の断面は、被取付部材の取付穴（角穴）に適合した矩形の横断面形状に形成されている。脚部３には、基板部２に隣接する位置において、通常時には外方に突出しており、被取付部材の取付穴に挿入するとき内側に撓み、その取付穴を貫通すると再び外方に突出するように復帰する弾性の係止爪９が形成されている。係止爪９は、矩形横断面の角筒形状の脚部３の、対向する２つの辺に形成されて、１対を成している。係止爪９は、脚部３の本体との間にＵ字形状の溝１０が形成されて、各係止爪９に弾性を与えている。係止爪９の詳細が、保持具１の正面図を示す図３のＢ−Ｂ線断面図である図７に記載されている。係止爪９は、被取付部材の取付穴１１の縁部に係合する係止肩を形成する係合部１３を備え、係合部１３の先の自由端（図７の下端）側は、取付穴１１の壁面に係止する縦壁１３Ａとなっている。縦壁１３Ａは、取付穴１１の内壁面に当接して係止爪９を取付穴１１の縁部に安定して係合させ、保持具１を安定して被取付部材に固定する。
【００１４】
本発明において、脚部３は、被取付部材の取付穴に挿入された状態で、脚部３を軸回りに一定角度回転すると係止爪９が取付穴の縁部から係合が外れ、保持具１が被取付部材から取外しできる構成に形成されている。先ず、脚部３の弾性係止爪９において、被取付部材の取付穴の縁部に係合する係止爪９の係合部１３が特定の形状に形成されている。保持具１の正面図を示す図３のＡ−Ａ線断面図である図６に示すように、係止爪９のそれぞれは、被取付部材の取付穴１１に係合する係合部１３の一部が、縦壁１３Ａに対して斜めに切断された斜面部１４として形成されている。斜面部１４は、図６の外に、図１〜図３及び図１１において示されており、脚部３の軸方向に延びており、更に、一対の係合部１３において、脚部３の軸を中心に軸対称の位置のそれぞれに形成されている。各斜面部１４は、脚部３がその軸回りに図１１に示す一定の角度回転した場合に、取付穴１１の縁部から外れる形状の斜面として形成されている。図１１は、脚部３が軸回りに一定の小さな角度（例えば、３０度以内の角度）回転した場合に斜面部１４が取付穴１１の縁部から外れた状態を示している。
【００１５】
次に、図６に示すように、脚部３の断面において、斜面部１４に隣接する脚部３のコーナ部分には、脚部３が軸回りに回転できる空間を形成するように、切欠き１５が形成されている。切欠き１５は、矩形断面の脚部３の対角方向の２つのコーナに形成されて脚部３が軸回りに回転するのを可能にしている。図１１は、脚部３が、切欠き１５によって、軸回りに回転した状態を示しており、脚部３の回転のとき、被取付部材の取付穴１１の端縁を切欠き１５による空間が受入れて、脚部３の回転を邪魔しない。切欠き１５は、図６、図１１の外に、図１、図３及び図５にも示されている。
【００１６】
更に、脚部３が軸回りに回転して斜面部１４が取付穴１１の取付穴の縁部から外れる位置（図１１参照）を越え過ぎないように、脚部３には、ストッパ１７が形成されている。ストッパ１７は、脚部３の一定形状（図２に示すようにコーナ部分の湾曲部分の端の直線部分に至る形状）適正な一定角度の回転位置に保持具１を停止させ、それ以上の回転を止めるとともに、作業者の指に保持具１の取外し位置まで回転したことの感覚を与える。
【００１７】
かかる構成で成る保持具１を被取付部材に取付ける操作を図８を参照して説明する。図８において、作業者は、指で保持具１をホルダー５を適正な向きに保持して、脚部３をパネル等の被取付部材１８の取付穴１１に挿入する。脚部３の挿入によって、一対の係止爪９は、一旦脚部３の内側に撓んだ後、取付穴１８を貫通すると係合部１３が外側に張り出すように復帰して、保持具１が被取付部材１８に保持される。基板部２は被取付部材１８に広い面積をふくむように安定して着座し、保持具１は適正な姿勢でしっかりと被取付部材１８に取付けられる。このように、保持具１は、被取付部材１８の取付穴１１に脚部３を押込むだけの簡単な操作で取付けられる。図９は、パネル１８Ａにライニング１８Ｂが設けられた被取付部材に保持具１が取付けられた状態を示している。被取付部材に取付けられた保持具１のホルダー５には、サンバイザーのロッドが取外し可能に保持される。
【００１８】
保持具１の取外し操作においては、図１０の矢印２１に示すように、保持具１のホルダー５をもって脚部３を軸回りに回転させる。脚部３の軸回りの回転前には保持具１は図９のような取付状態にある。すなわち、図６に示すように、脚部３の係止爪９の係合部１３の縦壁１３Ａは、取付穴１１の壁面に当接して保持具１が被取付部材１８に固定されている。脚部３を、図６の状態から、図１０の矢印２１に示すように一定角度回転させる。脚部３の回転は、切欠き１５による空間で邪魔されずに行われ、この回転は、ストッパ１７が取付穴１１の壁面に当接するまで行われ、ストッパ１７の当接によって、回転が停止させられ、それ以上の回転が阻止される。また、この回転の停止によって、作業者は保持具１が取外し位置にあるのを知る。このとき、脚部３は図１１に示す状態にある。図１１において、係止爪９の係合部１３は、斜面部１４が、取付穴１１の縁部から外れる位置にあり、他の係合部の部分も取付穴１１の内側に位置する。ストッパ１７が取付穴１１の壁面に当接する位置において、係止爪９の縦壁１３Ａが取付穴１１の壁面に当接して、斜面部１４が取付穴１１の縁部から外れる位置に撓むのを助ける。作業者は、ホルダー５を持って、図１０の下方に引き抜けば、そのまま、脚部３が、被取付部材の取付穴１１から抜き出されて、保持具１が被取付部材から外すことができる。このように、保持具１は、脚部３を小さな角度、回転させるだけで、工具を必要とすることなく、簡単に取外しできる。なお、その後の取付けは、前記のように、脚部３を被取付部材の取付穴１１に挿入するだけで簡単にでき、再利用もできる。
【００１９】
図１２は、基板部をボタン型ヘッド２３として形成して、ホルダーを持たない、トリムの保持具２５として形成した、別の実施形態に係る保持具を示す。脚部３の回転のため、ボタン型ヘッド２３には、中央に回転用紙のつまみ２６が形成されている。図１３は、更に別の実施形態に係る保持具２７を示している。保持具２７には、基板部が、パイプのホルダー２７の底部を兼用するように形成されており、ホルダー２７は、パイプを収容するようにＵ字形状のトラフ（樋）状に形成されている。ホルダー２７には、更に、押込みによって収容したパイプをその中に保持する弾性ウィング３０が設けられている。図１２のトリム保持具２５にも、図１３のパイプ保持具２７にも、図１〜図１１に図示のサンバイザーの保持具１と同様に、脚部３の係止爪９には斜面部１４が形成され、脚部３には、コーナに切欠き１５が形成されている。これらによって、保持具２５及び２７の取付けは被取付部材の取付穴へ脚部を挿入するだけの簡単な作業でよく、保持具２５及び２７の取外しは、脚部３を軸回りに一定角度回転させて、工具を必要とすることなく、簡単に、行える。
【図面の簡単な説明】
【００２０】
【図１】本発明の第１実施形態に係る、サンバイザーの保持具の斜視図である。
【図２】図１の保持具の平面図である。
【図３】図１の保持具の正面図である。
【図４】図１の保持具の底面図である。
【図５】図３の保持具の右側面図である。
【図６】図３の保持具のＡ−Ａ線断面図であって、被取付部材の取付穴との関係を示す図である。
【図７】図３の保持具のＢ−Ｂ線断面図である。
【図８】図１の保持具を被取付部材に取付ける操作を示す図である。
【図９】図１に係る保持具が被取付部材に取付けられてサンバイザーのロッドが保持された様子を示す断面図である。
【図１０】図１の保持具が被取付部材から取り外される操作を示す図である。
【図１１】保持具の取外し状態を、被取付部材の取付穴との関係を用いて示す、図６と同様の断面図である。
【図１２】本発明の第２実施形態に係る、トリムの保持具の斜視図である。
【図１３】本発明の第３実施形態に係る、パイプの保持具の斜視図である。
【符号の説明】
【００２１】
１  サンバイザーの保持具
２  基板部
３  脚部
５  ホルダー
９  係止爪
１１  被取付部材の取付穴
１３  係止爪の係合部
１３Ａ  係止爪の係合部の縦壁
１４  斜面部
１５  切欠き
１７  ストッパ
１８  被取付部材
１９  サンバイザーのロッド
２３  ボタン型ヘッド
２５  トリムの保持具
２６  つまみ
２７  パイプの保持具
２９  パイプのホルダー
【図１】
0004967163.tif 000002
【図２】
0004967163.tif 000003
【図３】
0004967163.tif 000004
【図４】
0004967163.tif 000005
【図５】
0004967163.tif 000006
【図６】
0004967163.tif 000007
【図７】
0004967163.tif 000008
【図８】
0004967163.tif 000009
【図９】
0004967163.tif 000010
【図１０】
0004967163.tif 000011
【図１１】
0004967163.tif 000012
【図１２】
0004967163.tif 000013
【図１３】
0004967163.tif 000014